(57)【要約】【課題】カバーの組み付け完了をもってコネクタの嵌合保証を可能にする。【解決手段】本開示のコネクタ１０は、第１コネクタ２０と、第２コネクタ３０と、カバー４０と、を備えたコネクタ１０であって、第１コネクタ２０と第２コネクタ３０は互いに嵌合可能とされ、完全嵌合状態でカバー４０によって完全に覆われており、カバー４０は、第１コネクタ２０を内部に収容する第１カバー４１と、第２コネクタ３０を内部に収容する第２カバー４２と、を備え、第２カバー４２は、開閉可能な一対の第２半割カバー４２Ｕ、４２Ｌを備えて構成され、第２半割カバー４２Ｕ、４２Ｌは、完全嵌合状態にある第２コネクタ３０に後方から当接する嵌合保証部を備える。【選択図】図６
2020155310.tif 000002
【特許請求の範囲】
【請求項１】
第１コネクタと、第２コネクタと、カバーと、を備えたコネクタであって、
前記第１コネクタと前記第２コネクタは互いに嵌合可能とされ、完全嵌合状態で前記カバーによって完全に覆われており、
前記カバーは、前記第１コネクタを内部に収容する第１カバーと、前記第２コネクタを内部に収容する第２カバーと、を備え、
前記第２カバーは、開閉可能な一対の半割カバーを備えて構成され、
前記半割カバーは、完全嵌合状態にある前記第２コネクタに後方から当接する嵌合保証部を備える、コネクタ。
【請求項２】
前記第２カバーは、前記第２コネクタの外面に沿って嵌合方向に延びる形態をなし、前記嵌合保証部は、前記半割カバーの内面から嵌合方向と直交する方向に突出した突部を有する、請求項１に記載のコネクタ。
【請求項３】
前記突部は、半嵌合状態にある前記第２コネクタを前記第１コネクタに向けて押し込む傾斜面を有する、請求項２に記載のコネクタ。
【発明の詳細な説明】
【技術分野】
【０００１】
本開示は、コネクタに関する。
【背景技術】
【０００２】
従来より、カバーの開閉動作でコネクタの半嵌合を検知できるコネクタ嵌合検知構造として、特開平１０−２２３３１３号公報（下記特許文献１）に記載のコネクタ嵌合検知構造が知られている。コネクタ嵌合検知構造は、雌コネクタと、一対のカバーと、を備える。カバーは押圧用傾斜壁を備え、半嵌合状態の場合には押圧用傾斜壁が雄コネクタの後段部を押圧することで雄コネクタが雌コネクタに押し込まれるようになっており、この押し込みの様子を外部から視認しながら一対のカバーを閉じることができる。
【先行技術文献】
【特許文献】
【０００３】
【特許文献１】特開平１０−２２３３１３号公報
【発明の概要】
【発明が解決しようとする課題】
【０００４】
しかしながら、雌雄のコネクタが一対のカバーによって完全に覆われる構成では、嵌合状態を外部から視認できないため、カバーの組み付け後に半嵌合状態に気付いた際にはカバーを外して半嵌合状態から完全嵌合状態に移行させ、カバーを再び組み付ける必要がある。
【課題を解決するための手段】
【０００５】
本開示のコネクタは、第１コネクタと、第２コネクタと、カバーと、を備えたコネクタであって、前記第１コネクタと前記第２コネクタは互いに嵌合可能とされ、完全嵌合状態で前記カバーによって完全に覆われており、前記カバーは、前記第１コネクタを内部に収容する第１カバーと、前記第２コネクタを内部に収容する第２カバーと、を備え、前記第２カバーは、開閉可能な一対の半割カバーを備えて構成され、前記半割カバーは、完全嵌合状態にある前記第２コネクタに後方から当接する嵌合保証部を備える、コネクタである。
【発明の効果】
【０００６】
本開示によれば、カバーの組み付け完了をもってコネクタの嵌合保証が可能である。
【図面の簡単な説明】
【０００７】
【図１】図１は、コネクタを斜め上方から見た斜視図である。
【図２】図２は、一対の半割カバーを閉じた状態におけるコネクタの側面図である。
【図３】図３は、一対の半割カバーを閉じた状態におけるコネクタの内部構造を示した断面図である。
【図４】図４は、一対の半割カバーを開いた状態におけるコネクタの側面図である。
【図５】図５は、一対の半割カバーを開いた状態におけるコネクタの内部構造を示した断面図である。
【図６】図６は、一対の傾斜面によって第２コネクタを第１コネクタに向けて押し込む様子を示した断面図であって、一対の傾斜面付近を拡大した図である。
【発明を実施するための形態】
【０００８】
［本開示の実施形態の説明］
最初に本開示の実施形態を列記して説明する。
【０００９】
本開示のコネクタは、
（１）第１コネクタと、第２コネクタと、カバーと、を備えたコネクタであって、前記第１コネクタと前記第２コネクタは互いに嵌合可能とされ、完全嵌合状態で前記カバーによって完全に覆われており、前記カバーは、前記第１コネクタを内部に収容する第１カバーと、前記第２コネクタを内部に収容する第２カバーと、を備え、前記第２カバーは、開閉可能な一対の半割カバーを備えて構成され、前記半割カバーは、完全嵌合状態にある前記第２コネクタに後方から当接する嵌合保証部を備える、コネクタである。
【００１０】
第１コネクタと第２コネクタがカバーによって完全に覆われて外部から視認できない場合でも、一対の半割カバーが閉じられて嵌合保証部が第２コネクタに後方から当接することで完全嵌合状態であることを検知できる。すなわち、カバーの組み付け完了をもってコネクタの嵌合保証が可能である。
【００１１】
（２）前記第２カバーは、前記第２コネクタの外面に沿って嵌合方向に延びる形態をなし、前記嵌合保証部は、前記半割カバーの内面から嵌合方向と直交する方向に突出した突部を有することが好ましい。第２カバーの外形を嵌合方向と直交する方向に大きくしなくてもよく、コネクタを小型化できる。
【００１２】
（３）前記突部は、半嵌合状態にある前記第２コネクタを前記第１コネクタに向けて押し込む傾斜面を有することが好ましい。第２コネクタが半嵌合状態にある場合でも、傾斜面によって第２コネクタを第１コネクタに向けて押し込んで完全嵌合状態に移行できる。
【００１３】
［本開示の実施形態の詳細］
本開示のコネクタ１０の具体例を、以下に図面を参照しつつ説明する。なお、本開示はこれらの例示に限定されるものではなく、特許請求の範囲によって示され、特許請求の範囲と均等の意味および範囲内でのすべての変更が含まれることが意図される。
【００１４】
＜実施形態＞
実施形態を図１から図６の図面を参照しながら説明する。本実施形態のコネクタ１０は、図３に示すように、第１コネクタ２０と、第２コネクタ３０と、カバー４０と、を備えて構成されている。コネクタ１０は、車両のサスペンションに用いられる。
【００１５】
第１コネクタ２０は合成樹脂製の第１ハウジング２１を有している。第１ハウジング２１は、前から順に、円筒状のフード部２２と、図示しない端子が保持された円柱状の端子保持部２３と、円筒状のゴム栓収容部２４と、を備えている。電線Ｗの端末は図示しない端子に接続されている。ゴム栓収容部２４の内部にはゴム栓２５が収容されている。
【００１６】
第２コネクタ３０は合成樹脂製の第２ハウジング３１を有している。第２ハウジング３１は、前から順に、図示しない端子が保持された円柱状の端子保持部３２と、円筒状のゴム栓収容部３３と、を備えている。電線Ｗの端末は図示しない端子に接続されている。ゴム栓収容部３３の内部にはゴム栓３４が収容されている。
【００１７】
第１ハウジング２１のフード部２２は、大径部２２Ａと、小径部２２Ｂと、を備えて構成されている。大径部２２Ａは小径部２２Ｂと同軸をなすように配されている。大径部２２Ａは小径部２２Ｂよりも径が大きい。大径部２２Ａの内部は小径部２２Ｂの内部と連通している。
【００１８】
小径部２２Ｂの上部には、第１平面部２２Ｃが設けられている。一方、第２ハウジング３１の端子保持部３２の上部には、第２平面部３２Ａが設けられている。第１ハウジング２１と第２ハウジング３１を組み付ける際には、第１平面部２２Ｃと第２平面部３２Ａが面接触するように回転方向の位置決めが行われる。第１ハウジング２１と第２ハウジング３１が組み付けられた状態では第１平面部２２Ｃと第２平面部３２Ａが互いに干渉することで第１ハウジング２１と第２ハウジング３１の回転方向の移動が規制される。
【００１９】
第１ハウジング２１の第１平面部２２Ｃにはロック部２６が設けられている。ロック部２６は上下方向に変位可能である。一方、第２ハウジング３１の第２平面部３２Ａには被ロック部３５が設けられている。第２ハウジング３１の端子保持部３２が第１ハウジング２１のフード部２２の内部に嵌合する途中では、ロック部２６が被ロック部３５に乗り上げへ上方に変位する。端子保持部３２がフード部２２の内部に嵌合すると、ロック部２６が被ロック部３５を乗り越えて下方に変位し、ロック部２６と被ロック部３５が係止する。これにより両ハウジング２１、３１が嵌合状態に保持される。
【００２０】
フード部２２の大径部２２Ａの内部にはシールリング２７が装着されている。第２ハウジング３１の端子保持部３２が第１ハウジング２１のフード部２２の内部に嵌合すると、シールリング２７が端子保持部３２の外周面と大径部２２Ａの内周面との間に挟持される。これにより、両ハウジング２１、３１の嵌合部からフード部２２の内部に水が浸入することが規制される。
【００２１】
第１ハウジング２１のゴム栓２５によって端子保持部２３の内部に水が浸入することが規制される。また、第２ハウジング３１のゴム栓３４によって端子保持部３２の内部に水が浸入することが規制される。このようにして第１コネクタ２０と第２コネクタ３０の内部に水が浸入することが規制される。
【００２２】
カバー４０は合成樹脂製であって、図１、図２に示すように、第１カバー４１と、第２カバー４２と、を備えて構成されている。第１カバー４１は第１コネクタ２０を覆っており、第２カバー４２は第２コネクタ３０を覆っている。コネクタ１０はカバー４０によって完全に覆われており、外部から視認できないようになっている。
【００２３】
第１カバー４１は上下一対の第１半割カバー４１Ｕ、４１Ｌを組み合わせたものであり、第２カバー４２は上下一対の第２半割カバー４２Ｕ、４２Ｌを組み合わせたものである。上側の第１半割カバー４１Ｕと上側の第２半割カバー４２Ｕとは上側ヒンジ４３Ｕによって連結され、開閉可能とされている。下側の第１半割カバー４１Ｌと下側の第２半割カバー４２Ｌとは下側ヒンジ４３Ｌによって連結され、開閉可能とされている。したがって、第１カバー４１が閉じられた状態における上下一対の第２半割カバー４２Ｕ、４２Ｌは開閉可能である。
【００２４】
下側の第１半割カバー４１Ｌと下側の第２半割カバー４２Ｌの側面には複数のカバーロック片４４が設けられている。一方、上側の第１半割カバー４１Ｕと上側の第２半割カバー４２Ｕの側面には複数のロック受け部４５が設けられている。図４に示すように、第１カバー４１における各カバーロック片４４が各ロック受け部４５に係止されることで上側の第１半割カバー４１Ｕと下側の第１半割カバー４１Ｌとが一体に固定される。続けて、第２カバー４２における各カバーロック片４４が各ロック受け部４５に係止されることで上側の第２半割カバー４２Ｕと下側の第２半割カバー４２Ｌとが一体に固定される。
【００２５】
図３に示すように、第１カバー４１は、第１コネクタ２０の外面に沿って嵌合方向に延びる形態をなしている。このため、第１カバー４１の外形を嵌合方向と直交する方向に大きくしなくてもよく、コネクタ１０を小型化できる。第１カバー４１は、第１ハウジング２１を内部に収容する第１ハウジング収容部４１Ｈと、第１ハウジング収容部４１Ｈの後方に引き出された電線Ｗを内部に収容する第１電線収容部４１Ｗと、を有する。第１ハウジング収容部４１Ｈは第１電線収容部４１Ｗと前後方向の長さが同じか、これよりやや短めとされている。このため、電線Ｗが曲げられてもゴム栓２５が変形しにくくなっている。
【００２６】
第１ハウジング収容部４１Ｈと第１電線収容部４１Ｗの間には、上下一対の第１突部４６が設けられている。第１突部４６は、第１ハウジング２１の外周面に沿って周方向に延びる形態とされている。第１ハウジング２１は、第１ハウジング収容部４１Ｈの前端部と第１突部４６との間に適合して収容されている。ここで、適合とは、第１ハウジング２１の外面と第１ハウジング収容部４１Ｈの内面との間に全く隙間がない場合と、わずかな隙間がある場合との双方を含むことを意味する。したがって、第１ハウジング２１が第１ハウジング収容部４１Ｈの内部に収容されてカバーロック片４４とロック受け部４５が互いに係止したことにより、第１ハウジング２１が第１ハウジング収容部４１Ｈに対して正規の位置に収容されたことになる。
【００２７】
第１突部４６は前方に向かうほど径方向外側に向かうテーパー状の第１傾斜面４６Ａを有する。第１ハウジング２１が正規の位置に対してわずかに後方にずれている場合に第１カバー４１が閉じられると、第１ハウジング２１の後端が第１傾斜面４６Ａに当接することで第１ハウジング２１が前方に押し込まれて正規の位置に移動し、第１カバー４１が閉じられる。
【００２８】
第２カバー４２は、第２コネクタ３０の外面に沿って嵌合方向に延びる形態をなしている。このため、第２カバー４２を嵌合方向と直交する方向に大きくしなくてもよく、コネクタ１０を小型化できる。第２カバー４２は、第２ハウジング３１を内部に収容する第２ハウジング収容部４２Ｈと、第２ハウジング収容部４２Ｈの後方に引き出された電線Ｗを内部に収容する第２電線収容部４２Ｗと、を有する。第２ハウジング収容部４２Ｈは第２電線収容部４２Ｗよりも前後方向の長さが短めとされている。また、第２電線収容部４２Ｗは第１電線収容部４１Ｗの２倍程度の長さで形成されている。このため、電線Ｗが曲げられてもゴム栓２５が変形することはなく、防水性能に影響を及ぼすことはない。
【００２９】
図５に示すように、本実施形態では第１コネクタ２０が第１カバー４１によって覆われた状態とした後に、第２コネクタ３０が第２カバー４２によって覆われることで、コネクタ１０全体がカバー４０によって完全に覆われることになる。第２カバー４２が開いた状態では、第２コネクタ３０の大部分が第１カバー４１によって覆われているため、第１コネクタ２０と第２コネクタ３０の嵌合状態を視認できないようになっている。したがって、第１コネクタ２０と第２コネクタ３０が半嵌合状態であることに気付かないまま第２カバー４２が閉められる動作が開始されることが起こり得る。
【００３０】
そこで、本実施形態では完全嵌合状態にある第２コネクタ３０に後方から当接する上下一対の第２突部（嵌合保証部）４７が設けられている。完全嵌合状態とは、第１コネクタ２０と第２コネクタ３０が正規に嵌合してロック部２６と被ロック部３５が互いに係止した状態のことを意味する。
【００３１】
上下一対の第２突部４７は、第２ハウジング収容部４２Ｈと第２電線収容部４２Ｗの間に設けられている。第２突部４７は、第２ハウジング３１の外周面に沿って周方向に延びる形態とされている。第２ハウジング３１は、第２ハウジング収容部４２Ｈの前端部と第２突部４７との間に適合して収容されている。ここで、適合とは、第２ハウジング３１の外面と第２ハウジング収容部４２Ｈの内面との間に全く隙間がない場合と、わずかな隙間がある場合との双方を含むことを意味する。したがって、第２ハウジング３１が第２ハウジング収容部４２Ｈの内部に収容されてカバーロック片４４とロック受け部４５が互いに係止したことにより、第２ハウジング３１が第２ハウジング収容部４２Ｈに対して正規の位置に収容されたことになる。これと同時に、第１コネクタ２０と第２コネクタ３０が完全嵌合状態にあることが保証される。すなわち、第２カバー４２の組み付け完了をもってコネクタ１０の嵌合保証が可能である。
【００３２】
図６に示すように、第２突部４７は前方に向かうほど径方向外側に向かうテーパー状の第２傾斜面４７Ａを有する。第２ハウジング３１が正規の位置に対してわずかに後方にずれている場合に第２カバー４２が閉じられると、第２ハウジング３１の後端が第２傾斜面４７Ａに当接することで第２ハウジング３１が前方に押し込まれて正規の位置に移動し、第２カバー４２が閉じられる。これにより、第２コネクタ３０を第１コネクタ２０に向けて押し込んで半嵌合状態から完全嵌合状態に移行できるようになっている。
【００３３】
＜他の実施形態＞
（１）上記実施形態では第２ハウジング３１の後端に第２突部４７が当接しているものの、第２ハウジング３１の外周面に突起を設け、この突起に第２突部が後方から当接するようにしてもよい。
【００３４】
（２）上記実施形態では第２突部４７が第２傾斜面４７Ａを有する構成としているものの、第２突部の先端が球形状のものとしてもよい。
【００３５】
（３）第２突部は、第２ハウジング３１の後端に対して弾性的に接触するようにしてもよい。
【符号の説明】
【００３６】
１０…コネクタ
２０…第１コネクタ
２１…第１ハウジング
２２…フード部
２２Ａ…大径部
２２Ｂ…小径部
２２Ｃ…第１平面部
２３…端子保持部
２４…ゴム栓収容部
２５…ゴム栓
２６…ロック部
２７…シールリング
３０…第２コネクタ
３１…第２ハウジング
３２…端子保持部
３２Ａ…第２平面部
３３…ゴム栓収容部
３４…ゴム栓
３５…被ロック部
４０…カバー
４１…第１カバー
４１Ｕ、４１Ｌ…第１半割カバー
４１Ｈ…第１ハウジング収容部
４１Ｗ…第１電線収容部
４２…第２カバー
４２Ｕ、４２Ｌ…第２半割カバー
４２Ｈ…第２ハウジング収容部
４２Ｗ…第２電線収容部
４３Ｕ…上側ヒンジ
４３Ｌ…下側ヒンジ
４４…カバーロック片
４５…ロック受け部
４６…第１突部
４６Ａ…第１傾斜面
４７…第２突部（嵌合保証部）
４７Ａ…第２傾斜面
Ｗ…電線
【図１】
2020155310.tif 000003
【図２】
2020155310.tif 000004
【図３】
2020155310.tif 000005
【図４】
2020155310.tif 000006
【図５】
2020155310.tif 000007
【図６】
2020155310.tif 000008